(57)【特許請求の範囲】
【請求項１】
１ないし複数のＩＰ内線端末またはルータを収容するＩＰ−ＰＢＸであって、
前記ＩＰ内線端末またはルータが送信するＭＡＣアドレス情報の一部もしくは全てを識別情報として前記ＩＰ内線端末またはルータとの接続に用いるデータ通信経路の区分を特定する接続先区分特定手段と、前記ＩＰ内線端末へ所定の制御パケットを送信する制御パケット送信手段と、を有し、
前記制御パケット送信手段は、前記接続先区分特定手段が特定したデータ通信経路の区分に応じて前記制御パケットを送信する間隔を予め定められた方法で決定し、前記決定した送信間隔のタイミングで前記制御パケットを当該ＩＰ内線端末へ送信することを特徴とするパケット送信間隔調整機能を有するＩＰ−ＰＢＸ。
【請求項２】
請求項１に記載のＩＰ−ＰＢＸであって、
前記データ通信経路の区分に応じて音声情報または映像情報を送受信する情報パケットの符号形式と送受信間隔を決定する情報パケット形式決定手段と、前記情報パケット形式決定手段で決定した符号形式のペイロードを、前記情報パケット形式決定手段で決定した送受信間隔で前記情報パケットとして送受信する情報パケット送受信手段と、を更に有し、
前記情報パケット形式決定手段は、前記接続先区分特定手段が特定したデータ通信経路に応じて情報パケットの符号形式と送受信間隔とを予め定められた方法で決定することを特徴とするパケット送信間隔調整機能を有するＩＰ−ＰＢＸ。
【発明の詳細な説明】
【技術分野】
【０００１】
本発明は、ＩＰ内線端末を制御するＩＰパケットの送信間隔を調整する機能を備えたＩＰ−ＰＢＸに関するものである。
【背景技術】
【０００２】
従来のＩＰネットワークを用いた通信システムでは、狭帯域もしくはトラフィック量の多い伝送路上のパケット通信量を低減するために、例えば、特許文献１に示す手段のように、パケット送信の成功率を計測し、その計測結果（成功率）に応じてパケットの送信間隔を調整することが知られていた。
【０００３】
また、特許文献２に示す手段のように、無線ＬＡＮアクセスポイントにおいて一部のキープアライブメッセージを無線端末に送らず、無線ＬＡＮアクセスポイントが無線端末に代わって応答パケットを返送することにより、実際に端末に到達するＩＰパケットの送信間隔を調整することが知られていた。
【先行技術文献】
【特許文献】
【０００４】
【特許文献１】特開平４−８２４３６号公報
【特許文献２】特開２００９−８８９３４号公報
【発明の概要】
【発明が解決しようとする課題】
【０００５】
しかしながら、特許文献１に示された方法では、パケット送信の成功率を計測するために専用のＩＰパケットを多量に送受信する必要があった。そのためトラフィックの増加や、計測結果を得るまでの時間を要するといった不都合がある。
【０００６】
また特許文献２に示された方法では、無線ＬＡＮアクセスポイントの配下に属する端末のみに対して有効であり、その他のネットワーク上の端末に対しては効果が得られないといった不都合がある。
【０００７】
そこで本発明の課題は、パケット送信間隔を決定するまでの判定時間を短縮し、かつネットワーク全体に対して適用できるパケット送信間隔の調整機能を実現することにある。
【課題を解決するための手段】
【０００８】
上記課題を解決するために、１ないし複数のＩＰ内線端末またはルータを収容するＩＰ−ＰＢＸであって、前記ＩＰ内線端末またはルータが送信するＭＡＣアドレス情報の一部もしくは全てを識別情報として前記ＩＰ内線端末またはルータとの接続に用いるデータ通信経路の区分を特定する接続先区分特定手段と、前記ＩＰ内線端末へ所定の制御パケットを送信する制御パケット送信手段と、を有し、前記制御パケット送信手段は、前記接続先区分特定手段が特定したデータ通信経路の区分に応じて前記制御パケットを送信する間隔を予め定められた方法で決定し、前記決定した送信間隔のタイミングで前記制御パケットを当該ＩＰ内線端末へ送信することを特徴とする。
【発明の効果】
【０００９】
本発明によれば、ＩＰ−ＰＢＸが制御パケットの送信開始時に行うＭＡＣアドレス解決シーケンスによって得られた相手端末またはルータの固有ＩＤ情報（ＭＡＣアドレス値）、または相手端末の起動時に通知される端末種別情報から、ＩＰ−ＰＢＸと相手端末との接続経路を認識することにより、従来のようにＩＰパケット送信の成功率を判定するために専用のＩＰパケットを送受信せずに、認識した接続経路に対応するパケット送信間隔を即時に決定することが可能となる。
【００１０】
また主装置に接続経路の識別機能とパケット送信間隔の変更機能を具備させたことにより、主装置に収容されるすべてのネットワーク上の内線端末に対してパケット送信間隔の調整を行い、単位時間辺りのパケット送信量を調整してネットワーク全体のトラフィックを抑えることが可能となる。
【図面の簡単な説明】
【００１１】
【図１】本発明によるＩＰ−ＰＢＸを含む全体構成図およびブロック構成図である。
【図２】ＭＡＣアドレスを認識してパケット送信間隔を制御するＩＰ−ＰＢＸの動作フローチャートである。
【図３】ＭＡＣアドレスをもとにパケット送信間隔を決定するパケット送信間隔決定部に記憶された判断条件の一例を示す図である。
【図４】は、各ＩＰ内線端末とＩＰ−ＰＢＸ間のパケット送信シーケンスの一例を示す図である。
【図５】は、端末種別情報を認識してパケット送信間隔を制御するＩＰ−ＰＢＸの動作フローチャートである。
【図６】は、端末種別情報をもとにパケット送信間隔を決定するパケット送信間隔決定部に記憶された判断条件の一例を示す図である。
【図７】は、ＩＰ内線端末が端末種別情報を含む端末登録パケットをＩＰ−ＰＢＸに通知するシーケンスの一例を示す図である。
【図８】は、ＩＰ内線端末がＩＰ−ＰＢＸに通知する端末種別情報を含む端末登録パケットの情報内容の一例を示す図である。
【発明を実施するための形態】
【００１２】
図１は、本発明によるＩＰ−ＰＢＸを含む全体構成図およびブロック構成図である。
本発明によるＩＰ−ＰＢＸは、電話交換機能を有する主装置３である（以後、本発明によるＩＰ−ＰＢＸを主装置３と呼称する）。主装置３には外線インタフェース部３０１から通信回線２を介して電話網１が接続され、内線インタフェース部３０２にはＬＡＮ配線４を介して無線ＬＡＮアクセスポイント５、ルータ６、主装置インタフェース部７０１を含むＩＰ内線端末７が接続されている。
【００１３】
さらに前記無線ＬＡＮアクセスポイント５からアンテナ８０９を介して、無線ＬＡＮインタフェース部８０１を有するＩＰ内線端末８が接続されており、前記ルータ６のＷＡＮインタフェース６０５から携帯電話網１０、アンテナ９０９を介して、無線インタフェース部９０１を有しＩＰ内線端末機能を実現するスマートホンであるＩＰ内線端末９が接続されている。
【００１４】
主装置３の交換制御部３１０は、外線インタフェース部３０１を介して電話網１の回線状態（着信の有無等）を検知する。
【００１５】
制御パケット送信部３１１は、端末情報問い合わせ部３１２から通知されたＭＡＣアドレスを使用して、ＩＰ内線端末７、８、９に該回線状態の表示や電話機の動作を指示する制御パケットを所定の周期で送信する。
【００１６】
端末情報問合せ部３１２は制御パケットの送信に先立ち、制御パケットの送信先ＩＰアドレスに対応するネットワーク上の固有ＩＤ情報（以後、ＭＡＣアドレス値と呼称する）を問い合わせて取得し、制御パケット送信部３１１に通知する。尚、取得したＭＡＣアドレス値は、制御パケット送信部３１１と音声パケット送信部３２１に記憶された後、所定の期間経過で破棄され、再度パケット送信が必要となった際に問い合わせを行う。
【００１７】
制御パケット受信部３１４はＩＰ内線端末７、８、９から送信される制御パケット（ＡＣＫ）を受信する。
【００１８】
パケット送信間隔決定部３１３は、前記端末情報問合せ部３１２で受信したＩＰ内線端末７、８とルータ６のＭＡＣアドレス値、またはＩＰ内線端末７、８、９から通知された端末種別情報から、後述する図３もしくは図６の判断条件に基づいて制御パケットの送信周期（送信間隔）を決定する。
【００１９】
またＩＰ内線端末７、８、９と外線とが通話状態にあるとき、交換制御部３１０は、パケット送信間隔決定部３１３で決定された音声パケットの符号形式と送信間隔を音声符号変換部３２０に指示して、外線インタフェース部３０１と音声符号変換部３２０と音声パケット送信部３２１と音声パケット受信部３２２と内線インタフェース部３０２を介して、通話音声信号をＩＰ内線端末７、８、９と外線との間で転送する。
【００２０】
ＩＰ内線端末７、８、９には、主装置３と接続するための主装置インタフェース部７０１、無線ＬＡＮインタフェース部８０１とアンテナ８０９、無線インタフェース部９０１とアンテナ９０９を備える。また、主装置３と制御パケットまたは音声パケットを送受信するパケット送信部７０５、８０５、９０５と、パケット受信部７０２、８０２、９０２と、内線端末機能を制御する端末制御部７０３、８０３、９０３と、操作部７０７、８０７、９０７と、受信した通話音声信号を出力する音声再生部７０６、８０６、９０６と、送話音声を入力して通話音声信号として送信する音声入力部７０８、８０８、９０８と、主装置３の端末情報問合せ部３１２の問合せに対して自端末のＭＡＣアドレス値または端末種別情報を通知する端末情報送信部７０４、８０４、９０４を備える。
【００２１】
ＬＡＮ配線４に接続されたＩＰ内線端末７は、端末情報送信部７０４よりＭＡＣアドレス値（図４に示すＸＸ−ＸＸ−ＸＸ−ＸＸ−で始まる値）を送信する。無線ＬＡＮアクセスポイント５を介して接続されたＩＰ内線端末８は、端末情報送信部８０４よりＭＡＣアドレス値（図４に示すＹＹ−ＹＹ−ＹＹ−ＹＹ−で始まる値）を送信する。また、ルータ６を介して接続されたＩＰ内線端末９は、ルータ６の端末情報置換中継部６０３が、ＷＡＮインタフェース部６０５でＩＰ内線端末９から受信したパケットに含まれるＭＡＣアドレス値を、端末情報記憶部６０４に記憶したルータ６のＭＡＣアドレス値に置換してＬＡＮインタフェース部６０１から出力し、ルータ６のＭＡＣアドレス値（図４に示すＺＺ−ＺＺ−ＺＺ−ＺＺ−ＺＺ−ＺＺ）を送信する。主装置３の端末情報問合せ部３１２は各々のＭＡＣアドレスを受信し、ＩＰ内線端末７、８、９の接続先区分の識別を行う。
【００２２】
図２は、本発明によるＭＡＣアドレス値を認識してパケット送信間隔を制御するＩＰ−ＰＢＸの主装置の動作フローチャートである。
【００２３】
主装置３に電源が投入された後（Ｓ３０００）、制御パケット送信部３１１から目的のＩＰ内線端末７、８、９に対して制御パケットを送信する場合に（Ｓ３００１，Ｙ）、該ＩＰ内線端末のＭＡＣアドレス値が取得できていなければ（Ｓ３００２，Ｎ）、端末情報問合せ部３１２からネットワーク（ＬＡＮ配線４）上にＡＲＰ問合せコマンドを送信する（Ｓ３００３）。
【００２４】
次に、端末情報問合せ部３１２が、該ＩＰ内線端末からのＡＲＰ応答レスポンスを受信すると（Ｓ３００４，Ｙ）、ＡＲＰ応答レスポンスのパケットから目的のＩＰ内線端末７、８またはルータ６のＭＡＣアドレス値を抽出して制御パケット送信部３１１に一時記憶する（Ｓ３００５）。
【００２５】
次に、パケット送信間隔決定部３１３は、図４に示す判断条件に従い、端末情報問合せ部３１２で抽出したＭＡＣアドレス値に対応する接続先区分を識別し、制御パケット、音声パケットの送信間隔を決定し、交換制御部３１０を介して制御パケット送信部３１１、音声パケット送信部３２１にパケットの送信間隔を設定（送信タイマを起動）する（Ｓ３００６）。
【００２６】
次に、制御パケット送信部３１１、音声パケット送信部３２１は、送信要求に従って制御パケットまたは音声パケットをＩＰ内線端末７、８、９宛に送信し（Ｓ３００８）、ステップ３００７で設定した次のパケット送信時期を待つ（Ｓ３００９）。
【００２７】
またパケット送信間隔を制御するタイマが満了し、次のパケット送信時期に至った場合（Ｓ３００９，Ｙ）、ステップ３００２以降の処理を繰り返す。
【００２８】
図３は、ＭＡＣアドレス値をもとにパケット送信間隔を決定する、パケット送信間隔決定部３１３に記憶された判断条件の一例を示す図である。
【００２９】
主装置３の端末情報問合せ部３１２で抽出したＭＡＣアドレス値（Ｖ３１２１）に対応する、接続先区分（Ｖ３１３１）と、制御パケットの送信間隔（Ｖ３１３２）と、音声パケットのペイロードを構成する符号形式（Ｖ３１３３）と、音声パケットの送出間隔（Ｖ３１３４）があらかじめ記録されている。
【００３０】
図３によれば、“ＸＸ−ＸＸ−ＸＸ−ＸＸ−”で始まるＭＡＣアドレス値を抽出した場合は、ＬＡＮ配線４に有線で接続されたＩＰ内線端末７であると認識し、制御パケットの送信間隔を０．２秒に、音声パケットの符号形式をＧ．７１１、音声パケットの送信間隔を１０ミリ秒（Ｖ３１３５）が選択される。また“ＹＹ−ＹＹ−ＹＹ−ＹＹ−”で始まるＭＡＣアドレス値を抽出した場合は、ＬＡＮ配線４に無線ＬＡＮで接続されたＩＰ内線端末８であると認識し、制御パケットの送信間隔を４秒に、音声パケットの符号形式をＧ．７１１、送信間隔を２０ミリ秒（Ｖ３１３６）が選択される。また“ＺＺ−ＺＺ−ＺＺ−ＺＺ−ＺＺ−ＺＺ”のＭＡＣアドレス値を抽出した場合は、携帯電話網経由でルータ６を介してＬＡＮ配線４に接続されるスマートホン等のＩＰ内線端末９であると認識し、制御パケットの送信間隔を３０秒に、音声パケットの符号形式をＧ．７２６、送信間隔を２０ミリ秒（Ｖ３１３７）が選択される。
【００３１】
このとき音声パケットのペイロードは、Ｇ．７１１よりもＧ．７２６の符号形式の方が少なく、また送信間隔が長い方が少なくなり、このペイロード形式を切り替えることにより、さらにパケットの送信量を抑える事ができる。
【００３２】
図４は、ＩＰ内線端末７、８、９と主装置３間のパケット送信シーケンスの一例を示す図である。
【００３３】
ＩＰ内線端末７、８、９に対する最初のパケット送信要求（Ｒ３１１ｃ０、Ｒ３１１ｂ０、Ｒ３１１ａ０）が発生した際、端末情報問合せ部３１２からＩＰ内線端末７、８、９に対して、指定したＩＰアドレス値からＭＡＣアドレス値を得るためのＡＲＰ要求コマンド（Ｍ３００１、Ｍ３００５、Ｍ３００９）を送信する。
【００３４】
このＡＲＰ要求コマンドを受信したＩＰ内線端末７、８、９は、指定されたＩＰアドレス値が自己のＩＰアドレス値と一致した場合に、自端末のＭＡＣアドレス値を記載したＡＲＰ応答レスポンス（Ｍ３００２、Ｍ３００６、Ｍ３０１０）を返送する。
【００３５】
端末情報問合せ部３１２は、ＡＲＰ応答レスポンスから抽出したＭＡＣアドレス値を制御パケット送信部３１１に記憶すると共に、パケット送信間隔決定部３１３によって、該ＭＡＣアドレス値に対応するパケット送信間隔を決定し、交換制御部３１０を介して制御パケット送信部３１１に指示する。
制御パケット送信部３１１は、先のパケット送信要求に基づき制御パケット（Ｍ３００３、Ｍ３００７、Ｍ３０１１）を送信し、この制御パケットを受信したＩＰ内線端末７、８、９は、ＡＣＫパケット（Ｍ３００４、Ｍ３００８、Ｍ３０１２）を返送する。
【００３６】
引き続き制御パケット送信部３１１は、ＩＰ内線端末毎に設定された制御パケット送信間隔に従ってパケット送信要求を発生させ、制御パケット（Ｍ３０１３、Ｍ３０１５、Ｍ３０１７、Ｍ３０１９、Ｍ３０２１）をＩＰ内線端末７、８、９に送信し、この制御パケットを受信したＩＰ内線端末７、８、９は、ＡＣＫパケット（Ｍ３０１４、Ｍ３０１６、Ｍ３０１８、Ｍ３０２０、Ｍ３０２２）を返送する。
図４では、ＩＰ内線端末９に対するパケット送信要求の発生間隔（Ｒ３１１ｃ０とＲ３１１ｃ１の間隔）を３０秒とし、ＩＰ内線端末８に対するパケット送信要求の発生間隔（Ｒ３１１ｂ０、とＲ３１１ｂ１の間隔）を４秒とし、ＩＰ内線端末７に対するパケット送信要求の発生間隔（Ｒ３１１ａ０、Ｒ３１１ａ１、Ｒ３１１ａ２、Ｒ３１１ａ３の間隔）を０．２秒としている。
【００３７】
図５は、本発明による端末種別情報を認識してパケット送信間隔を制御するＩＰ−ＰＢＸの主装置３の動作フローチャートである。
【００３８】
ＩＰ内線端末７、８、９は、呼制御にＳＩＰ（Ｓｅｓｓｉｏｎ  Ｉｎｉｔｉａｔｉｏｎ  Ｐｒｏｔｏｃｏｌ）を用い、起動時及び所定の周期で端末種別情報（Ｕｓｅｒ−Ａｇｅｎｔ情報要素）を含む端末登録パケットを主装置３に送信するＲＥＧＩＳＴ機能を有している。
【００３９】
主装置３に電源が投入され（Ｓ３１００）、制御パケットおよび音声パケットの送信間隔を初期化した後（Ｓ３１０１）、制御パケット受信部３１４でＩＰ内線端末７、８、９が送信した前述の端末登録パケットを受信した場合（Ｓ３１０２，Ｙ）、該パケットに端末種別情報が含まれているかを判断し（Ｓ３１０３）、端末種別情報が含まれていた場合には（Ｓ３１０３，Ｙ）、パケット送信間隔決定部３１３は、図４に示す判断条件に従い、受信した端末種別情報に対応する接続先区分を識別し、制御パケットおよび音声パケットの送信間隔を決定し、交換制御部３１０を介して制御パケット送信部３１１および音声パケット送信部３２１にパケットの送信間隔を設定（送信タイマを起動）する（Ｓ３１０４）。
【００４０】
次に、パケット送信間隔を制御するタイマが満了し、次のパケット送信時期に至った場合（Ｓ３１０６，Ｙ）、制御パケット送信部３１１および音声パケット送信部３２１は、送信要求に従って制御パケットまたは音声パケットを目的のＩＰ内線端末宛に送信し（Ｓ３１０７）、ステップ３１０２に戻る。
【００４１】
ステップ３１０２において、制御パケットの受信を検知しなかった場合には（Ｓ３１０２，Ｎ）、ステップ３１０６に遷移して、ステップ３１０４及びステップ３１０５で決定された送信間隔でパケットの送信を繰り返す。
【００４２】
図６は、端末種別情報をもとにパケット送信間隔を決定するパケット送信間隔決定部３１３に記憶された判断条件の一例を示す図である。
【００４３】
主装置３の制御パケット受信部３１４で抽出した端末種別情報（Ｖ３１４１）に対応する接続先区分（Ｖ３１３１）と制御パケットの送信間隔（Ｖ３１３２）と音声パケットのペイロードを構成する符号形式（Ｖ３１３３）との送出間隔（Ｖ３１３４）があらかじめ記録されている。
【００４４】
図６によれば、“Ｗｉｒｅｄ−Ｐｈｏｎｅ”の端末種別情報を抽出した場合は、構内のＬＡＮ配線４に有線接続されたＩＰ内線端末７であると認識し、制御パケットの送信間隔を０．２秒に、音声パケットの符号形式をＧ．７１１、送信間隔を１０ミリ秒（Ｖ３１３５）が選択される。“ＷｉＦｉ−Ｐｈｏｎｅ”の端末種別情報を抽出した場合は、構内のＬＡＮ配線４に無線ＬＡＮで接続されたＩＰ内線端末８であると認識し、制御パケットの送信間隔を４秒に、音声パケットの符号形式をＧ．７１１、送信間隔を２０ミリ秒（Ｖ３１３６）が選択される。“３Ｇ−Ｐｈｏｎｅ”の端末種別情報を抽出した場合は、携帯電話網経由でルータ６を介してＬＡＮ配線４に接続されるスマートホン等のＩＰ内線端末９であると認識し、制御パケットの送信間隔を３０秒に、音声パケットの符号形式をＧ．７２６、送信間隔を２０ミリ秒（Ｖ３１３７）が選択される。
【００４５】
図７は、ＩＰ内線端末が主装置に通知する端末種別情報を含む端末制御パケットの情報内容の一例を示す図である。
【００４６】
いずれかのＩＰ内線端末に電源が投入され起動されると、主装置３に対して端末種別情報を含む端末登録パケット（Ｍ３１０１）（以後、ＲＥＧＩＳＴＥＲリクエストと呼称する）を送信する。
次に、主装置３の制御パケット受信部３１４は、受信したＲＥＧＩＳＴＥＲリクエストに含まれる端末種別情報（図８に一例を示す）を抽出し、パケット送信間隔決定部３１３において、制御パケットおよび音声パケットの送信間隔を決定し、交換制御部３１０を介して制御パケット送信部３１１、音声パケット送信部３２１に該パケットの送信間隔（タイマ値）を設定する。
【００４７】
また、主装置３の交換制御部３１０は、受信したＲＥＧＩＳＴＥＲリクエストを受け付けたことを示す２００ＯＫレスポンス（Ｍ３１０２）の送信を制御パケット送信部３１１に指示する。
【００４８】
以降、制御パケット送信部３１１、音声パケット送信部３２１は、指定されたパケット送信間隔（本図では４秒）に従い、制御パケット（以後、ＮＯＴＩＦＹリクエストと呼称する）の送信を繰り返す（Ｍ３１０３、Ｍ３１０５）。
【００４９】
またＮＯＴＩＦＹリクエストを受信したＩＰ内線端末７、８、９は、受信確認を示す２００ＯＫレスポンスを主装置３に返送する（Ｍ３１０４、Ｍ３１０６）。
【００５０】
図８は、ＩＰ内線端末７、８、９が主装置３に通知する端末種別情報を含むＲＥＧＩＳＴＥＲリクエストの情報内容の一例を示す図である。
【００５１】
Ｕｓｅｒ−Ａｇｅｎｔ情報要素（Ｖ８０４１）に、端末種別情報を示すコード（例として“ＷｉＦｉ−Ｐｈｏｎｅ”）がコーディングされており、主装置３の制御パケット受信部３１４で抽出され、パケット送信間隔決定部３１３において、このコードに対応する接続先区分と各パケット送信間隔（本例では、図６の“構内無線ＬＡＮ（Ｖ３１３６）”）が選択される。
【００５２】
尚、図５から図８は、主装置３とＩＰ内線端末７、８、９との間を、Ｓｅｓｓｉｏｎ  Ｉｎｉｔｉａｔｉｏｎ  Ｐｒｏｔｏｃｏｌを用いて制御するＩＰ−ＰＢＸを例として説明したが、主装置３とＩＰ内線端末７、８、９との間は、独自のプロトコルやメッセージコーディングを用いて制御するようＩＰ−ＰＢＸを構成してもよい。
【００５３】
尚、図示しないが音声パケットについては、音声符号変換部３２０においてパケット送信間隔決定部３１４で決定された音声符号形式の音声ペイロードが生成され、また音声パケット送信部３２１においてパケット送信間隔決定部３１４で決定された間隔で音声パケットが送信される。
【符号の説明】
【００５４】
１  電話網
２  通信回線
３  主装置
４  ＬＡＮ配線
５  無線ＬＡＮアクセスポイント
６  ルータ
７  ＩＰ内線端末（有線ＬＡＮ接続）
８  ＩＰ内線端末（無線ＬＡＮ接続）
９  ＩＰ内線端末（スマートホン）
１０  携帯電話網
３０１  外線インタフェース部
３０２  内線インタフェース部
３１０  交換制御部
３１１  制御パケット送信部
３１２  端末情報問合せ部
３１３  パケット送信間隔決定部
３１４  制御パケット受信部
３２０  音声符号変換部
３２１  音声パケット送信部
３２２  音声パケット受信部
６０１  ＬＡＮインタフェース部
６０３  端末情報置換中継部
６０４  端末情報記憶部
６０５  ＷＡＮインタフェース部
７０１  主装置インタフェース部
８０１  無線ＬＡＮインタフェース部
９０１  無線インタフェース部
７０２，８０２，９０２  パケット受信部
７０３，８０３，９０３  端末制御部
７０４，８０４，９０４  端末情報送信部
７０５，８０５，９０５  パケット送信部
７０６，８０６，９０６  音声再生部
７０７，８０７，９０７  操作部
７０８，８０８，９０８  音声入力部
８０９，９０９  アンテナ
【図１】
0005751112.tif 000002
【図２】
0005751112.tif 000003
【図３】
0005751112.tif 000004
【図４】
0005751112.tif 000005
【図５】
0005751112.tif 000006
【図６】
0005751112.tif 000007
【図７】
0005751112.tif 000008
【図８】
0005751112.tif 000009